(57)【要約】【課題】ソレノイドコイルの発生する磁界や、通信回路の発生する電界ノイズの影響を受けない水中又は地中通信装置を提供する。【解決手段】本発明による水中又は地中通信装置は、低周波磁界を伝送媒体として地中又は水中に設置して通信を行うものであって、測定センサ１１に接続した通信回路１２と、この通信回路に接続して電気信号から磁気信号への変換または磁気信号から電気信号への変換を行うソレノイドコイル１３とを耐圧容器１４に収納して成る。ソレノイドコイルの内側に配置した中空の磁性体１５の内側に通信回路を配置した。【選択図】　　　図１
2004096182.tif 000002
【特許請求の範囲】
【請求項１】
低周波磁界を伝送媒体として水中又は地中に設置して通信を行う水中又は地中通信装置であって、センサに接続した通信回路と、該通信回路に接続して電気信号から磁気信号への変換または磁気信号から電気信号への変換を行うソレノイドコイルとを容器に収納してなる水中又は地中通信装置において、
前記ソレノイドコイルの内側に配置した中空の磁性体の内側に前記通信回路を配置したことを特徴とする水中又は地中通信装置。
【請求項２】
請求項１に記載の水中又は地中通信装置において、前記電気信号から磁気信号への変換と前記磁気信号から電気信号への変換を１つのソレノイドコイルで行うことを特徴とする水中又は地中通信装置。
【請求項３】
請求項２に記載の水中又は地中通信装置において、
水上又は地上側に配置される水上又は地上側装置と水底または地中側に配置される水底又は地中側装置とを含み、
前記水底又は地中側装置は前記通信回路と前記ソレノイドコイルと前記中空の磁性体とを前記容器に収納してなり、
前記水上又は地上側装置は、送信指令を受信する水上又は地上側通信回路と、該水上又は地上側通信回路に接続し電気信号から磁気信号への変換及び磁気信号から電気信号への変換を行う水上又は地上側ソレノイドコイルとを水上又は地上側容器に収納してなり、
前記水上又は地上側装置は、送信指令を受信するとこれを前記水上又は地上側ソレノイドコイルにより送信指令を示す磁気信号に変換して前記水底又は地中側装置に送信し、
前記水底又は地中側装置では、前記ソレノイドコイルにより前記送信指令を示す磁気信号が送信指令を示す電気信号に変換され、前記通信回路は前記送信指令を示す電気信号を受けると前記センサからの測定量を示す電気信号を前記ソレノイドコイルに送り、該ソレノイドコイルは前記測定量を示す電気信号を測定量を示す磁気信号に変換して前記水上又は地上側装置に送信し、
前記水上又は地上側装置では、前記水上又は地上側ソレノイドコイルにより前記測定量を示す磁気信号が測定量を示す電気信号に変換され、変換された電気信号が前記水上又は地上側通信回路から出力されることを特徴とする水中又は地中通信装置。
【発明の詳細な説明】
【０００１】
【発明の属する技術分野】
本発明は、信号の伝送媒体として低周波磁界を用いる水中又は地中通信装置に関する。
【０００２】
【従来の技術】
従来、海底軟弱地盤に盛土を行う場合、地盤の沈下や側方移動等の変化あるいは変位（以下、まとめて変位と称する）が問題とされていた。この場合、地盤の変位を測定するために沈下計や傾斜計といった測定センサが使用されている。測定センサと海上の測定装置との間の信号伝送には、以下の２つの方式が知られている。第１の方式はケーブルによる伝送方式である。第２の方式は測定センサに電池を内蔵させて測定センサの出力信号を無線で海上へ伝送する方式である。
【０００３】
第１の伝送方式は、海底地盤の沈下量や側方移動量が大きい所ではケーブルが切断されることが多く、伝送方式としては不適切とされることが多かった。また、波や潮流があるため、長期にわたる計測を行う場合にはケーブルの機械的強度を高める必要があり、コストが高くなる。以上の点からケーブルを用いずに無線で出力信号を送る伝送方式が必要となっている。
【０００４】
第２の伝送方式では電波や音波を用いることが考えられている。しかし、電波を用いる伝送方式では海水や地盤による減衰によって出力信号を検出することが不可能になるという欠点があった。一方、音波を用いる伝送方式では送信部上方にある盛土や地盤中を伝搬する際の減衰により出力信号を検出することがほどんど不可能という欠点があった。
【０００５】
このような理由から低周波磁界を信号の伝送媒体として用いる磁気信号伝送方式が一般的に用いられる傾向になりつつある。低周波磁界というのは、周波数範囲が１ｋＨｚ〜１０ｋＨｚ程度の周波数による磁界のことである。
【０００６】
磁気信号伝送方式ではループ寸法が波長に比べて十分短い微小ループアンテナが採用されている。このような微小ループアンテナによる放射電磁界は下記の数１〜数３で示される。
【０００７】
【数１】
2004096182.tif 000003
【数２】
2004096182.tif 000004
【数３】
2004096182.tif 000005
【０００８】
但し、ＨθとＨｒは磁界を示し、Ｅφは電界を示す。また、ωは角周波数、Ｉは微小ループアンテナに流れる電流、λは波長、Ｓは微小ループアンテナの面積、ｋは波数（ｋ＝２π／λ）、ｒは微小ループアンテナの中心からの距離、η０　は特性インピーダンス、μは透磁率をそれぞれ示す。
【０００９】
ここで、磁気信号伝送方式ではｋｒ＜＜１の関係が成り立つ領域を使用しているので、数１、数２、数３はそれぞれ以下の数４、数５、数６に近似することができる。
【００１０】
【数４】
2004096182.tif 000006
【数５】
2004096182.tif 000007
【数６】
2004096182.tif 000008
【００１１】
いずれにしても磁気信号伝送方式では、磁界成分の卓越した低周波磁界を信号の伝送媒体とすることで、従来の無線方式では伝送が不可能であった、海上と海中との間や海上と地盤中との間の無線データ伝送を可能としている。このような技術は、例えば特開平０９−０５３９５８号公報に開示されている。
【００１２】
図９は磁気信号伝送方式を利用した従来の水中通信装置の一例を説明するための図である。この水中通信装置は、海底側装置１００と海上側装置２００とを含む。海底側装置１００は、海底に設置した測定センサ１０１から得られる地盤情報を海上側装置２００からの送信指令に応答して海上へ伝送する。海上側装置２００は、海底側装置１００へ送信指令を発して海底側装置１００からの地盤情報を受信する。
【００１３】
海底側装置１００は、測定センサ１０１、測定センサ１０１に接続された通信回路１０２、通信回路１０２に接続された送信用ソレノイドコイル１０３及び受信用ソレノイドコイル１０４を有する。通信回路１０２、送信用ソレノイドコイル１０３、受信用ソレノイドコイル１０４は耐圧容器１０５に収納されている。測定センサ１０１は用途に応じて耐圧容器１０５の内部または外部に設置される。
【００１４】
海上側装置２００は、通信回路２０１、通信回路２０１に接続された送信用ソレノイドコイル２０２及び受信用ソレノイドコイル２０３を有する。送信用ソレノイドコイル２０２、受信用ソレノイドコイル２０３は、それぞれ個別の容器２０４、２０５に収納されている。通信回路２０１にはコンピュータ２０６が接続されている。
【００１５】
コンピュータ２０６から出力された送信指令は通信回路２０１で電気信号に変換され、この電気信号は送信用ソレノイドコイル２０２で磁気信号に変換される。送信用ソレノイドコイル２０２の発生した磁気信号は海中を伝搬して海底側装置１００に到達し、受信用ソレノイドコイル１０４で磁気信号から電気信号に変換される。この電気信号は通信回路１０２で送信指令として判定される。
【００１６】
通信回路１０２は、送信指令の入力を判定すると、測定センサ１０１からの地盤情報を取り入れて電気信号に変換する。送信用ソレノイドコイル１０３は通信回路１０２からの電気信号を受けてこれを磁気信号に変換する。
【００１７】
送信用ソレノイドコイル１０３の発生した磁気信号は海中を伝搬して海上側装置２００に到達し、受信用ソレノイドコイル２０３で磁気信号から電気信号に変換される。この電気信号は通信回路２０１で地盤情報に変換される。コンピュータ２０６は通信回路２０１から出力される地盤情報を記録したり、表示したりする。
【００１８】
【発明が解決しようとする課題】
しかしながら、上記の水中通信装置では、送信時に、ソレノイドコイルの発生する強い磁界が通信回路を誤動作させる問題が生じていた。加えて、受信時に、通信回路の発生する電界ノイズをソレノイドコイルが受けて磁気信号から電気信号への変換において信号対雑音比が低下する問題が生じていた。
【００１９】
本発明の課題は、ソレノイドコイルの発生する磁界や、通信回路の発生する電界ノイズの影響を受けない水中又は地中通信装置を提供することにある。
【００２０】
【課題を解決するための手段】
本発明は、低周波磁界を伝送媒体として地中又は水中に設置して通信を行う水中又は地中通信装置であって、センサに接続した通信回路と、該通信回路に接続して電気信号から磁気信号への変換または磁気信号から電気信号への変換を行うソレノイドコイルとを容器に収納してなる水中又は地中通信装置に適用される。
【００２１】
本発明の態様による水中又は地中通信装置は、前記ソレノイドコイルの内側に配置した中空の磁性体の内側に前記通信回路を配置したことを特徴とする。
【００２２】
なお、本水中又は地中通信装置においては、前記電気信号から磁気信号への変換と前記磁気信号から電気信号への変換を１つのソレノイドコイルで行うことが好ましい。
【００２３】
本発明による水中又は地中通信装置は、具体的には、水上又は地上側に配置される水上又は地上側装置と水底または地中側に配置される水底又は地中側装置とを含む。前記水底又は地中側装置は前記通信回路と前記ソレノイドコイルと前記中空の磁性体とを前記容器に収納してなり、前記水上又は地上側装置は、送信指令を受信する水上又は地上側通信回路と、該水上又は地上側通信回路に接続し電気信号から磁気信号への変換及び磁気信号から電気信号への変換を行う水上又は地上側ソレノイドコイルとを水上又は地上側容器に収納してなる。
【００２４】
前記水上又は地上側装置は、送信指令を受信するとこれを前記水上又は地上側ソレノイドコイルにより送信指令を示す磁気信号に変換して前記水底又は地中側装置に送信し、前記水底又は地中側装置では、前記ソレノイドコイルにより前記送信指令を示す磁気信号が送信指令を示す電気信号に変換され、前記通信回路は前記送信指令を示す電気信号を受けると前記センサからの測定量を示す電気信号を前記ソレノイドコイルに送り、該ソレノイドコイルは前記測定量を示す電気信号を測定量を示す磁気信号に変換して前記水上又は地上側装置に送信し、前記水上又は地上側装置では、前記水上又は地上側ソレノイドコイルにより前記測定量を示す磁気信号が測定量を示す電気信号に変換され、変換された電気信号が前記水上又は地上側通信回路から出力されることを特徴とする。
【００２５】
【作用】
本水中又は地中通信装置においては、中空の磁性体の外側にソレノイドコイルが巻かれていることから、送信時にはソレノイドコイルの発生する磁束は中空の磁性体に集中し、中空の磁性体の内側を通過する磁束は大きく減少する。
【００２６】
一方、受信時には通信回路の発生する電界ノイズは中空の磁性体によりソレノイドコイルに対して遮蔽される。
【００２７】
【発明の実施の形態】
次に、本発明の実施の形態について図面を参照して説明する。図１は本発明を水中通信装置として使用する場合の実施の形態を示す図である。以下では、海中で使用する場合について説明するが、河川、湖沼等の水中で使用する場合もまったく同じである。
【００２８】
本水中通信装置は、海底に設置した測定センサ１１から得られる地盤情報を海上側装置２０からの送信指令に応答して海上へ伝送する海底側装置１０と、海上から送信指令を発し海底側装置１０からの地盤情報を受信する海上側装置２０とを有する。地盤情報を得るための測定センサ１１には、傾斜計や沈下計等が使用される。
【００２９】
海底側装置１０は、測定センサ１１に接続した通信回路１２と、通信回路１２に接続し送受信両方に用いる一つのソレノイドコイル１３と、これらを収容した耐圧容器１４とを備える。通信回路１２は、磁性体、ここでは円筒形の珪素鋼板製ボビン（以下、ボビンと略称する）１５の内側に配置されている。そして、耐圧容器１４とボビン１５との間にソレノイドコイル１３が配置されている。言い換えれば、ソレノイドコイル１３はボビン１５の外側に巻かれている。測定センサ１１は用途に応じて耐圧容器１４の内部または外部に設置される。
【００３０】
海上側装置２０は、通信回路２１と、通信回路２１に接続し送受信両方に用いる一つのソレノイドコイル２２と、これらを収容した容器２３とを備える。通信回路２１も、磁性体、ここでは円筒形の珪素鋼板製ボビン（以下、ボビンと略称する）２４の内側に配置されている。そして、容器２３とボビン２４との間にソレノイドコイル２２が配置されている。通信回路２１には、送信指令を出力したり、測定結果を記録したり、表示したりするためのコンピュータ２５が接続されている。
【００３１】
コンピュータ２５から出力される送信指令は通信回路２１で所定の信号変換が行われる。変換された電気信号はソレノイドコイル２２で磁気信号に変換される。ソレノイドコイル２２の発生した磁気信号は海中を伝搬して海底側装置１０に到達し、ソレノイドコイル１３で磁気信号から電気信号に変換される。この電気信号は通信回路１２で送信指令として判定される。
【００３２】
通信回路１２は、送信指令の入力を判定すると、測定センサ１１からの地盤情報を取り入れて電気信号に変換する。ソレノイドコイル１３は通信回路１２からの電気信号を磁気信号に変換する。ソレノイドコイル１３の発生した磁気信号は海中を伝搬して海上側装置２０に到達し、ソレノイドコイル２２で磁気信号から電気信号に変換される。この電気信号は通信回路２１で地盤情報に変換される。コンピュータ２５は通信回路２１から出力される地盤情報を記録したり、表示したりする。
【００３３】
なお、図示していないが、海底側装置１０ではバッテリを電源として内蔵している。また、電気信号を２値位相変調（ＢＰＳＫ）方式や２値周波数変調（ＢＦＳＫ）方式を用いて磁気信号に変調している。例えば、海上側装置２０について言えば、通信回路２１は、搬送波信号を発生すると共に、この搬送波信号を送信指令で変調する変調回路を有する。海底側装置１０の通信回路１２はこの変調回路に対応した復調回路を有する。一方、海底側装置１について言えば、通信回路１２は、搬送波信号を発生すると共に、この搬送波信号を地盤情報で変調する変調回路を有する。海上側装置２０の通信回路２１はこの変調回路に対応した復調回路を有する。通常、海底には複数の海底側装置が設置され、各海底側装置には個別にＩＤ番号が付与される。海底側装置と海上側装置との間で伝送される信号には、海底側装置を特定するためにＩＤ番号を示すＩＤ情報が含まれている。コンピュータ２５は複数の海底側装置をＩＤ番号で識別する。
【００３４】
図２は、図１に示された海上側装置２０における通信回路２１の構成を示した図である。通信回路２１は、送信回路２１−１、受信回路２１−２、送受切替回路２１−３から成る。送信回路１２−１はコンピュータ２５からの送信指令を受けると、送受切替回路２１−３を経由してソレノイドコイル２２を励磁する。受信回路２１−２は復調回路を有し、送受切替回路２１−３を通して受信した信号を復調してコンピュータ２５に出力する。通信回路２１は図示しない回路基板に実装されて円筒形のボビン２４の内側に配置されている。容器２３とボビン２４との間にはソレノイドコイル２２が配置されている。
【００３５】
通常、送受切替回路２１−３は、送信回路２１−１により送信回路２１−１とソレノイドコイル２２との間を接続するようにされている。コンピュータ２５から出力される送信指令は送信回路２１−１で所定の信号変換が行われ、この電気信号は送受切替回路２１−３を経由してソレノイドコイル２２で磁気信号に変換される。送信回路２１−１は、ソレノイドコイル２２により磁気信号に変換された送信指令が送信された後、送受切替回路２１−３に対して受信回路２１−２とソレノイドコイル２２との間を接続するように切り替えさせ、受信回路２１−２が海底側装置１０からの磁気信号を受信するのを待機する。一定時間内に海底側装置１０からの磁気信号を受信できない場合、つまり受信回路２１−２から信号受信を示す出力が得られない場合、送信回路２１−１は送受切替回路２１−３に対して送信回路２１−１とソレノイドコイル２２との間を接続するように切り替えさせて、再度所定の信号変換を行った送信指令を出力する。ソレノイドコイル２２は、磁気信号に変換した送信指令を送信する。以上の動作は海底側装置１０から磁気信号が受信されるまで繰り返される。
【００３６】
受信待機中に海底側装置１０のソレノイドコイル１３の発生した磁気信号が受信されると、ソレノイドコイル２２で磁気信号から電気信号に変換される。この電気信号は受信回路２１−２で地盤情報に復調される。受信回路２１−２はソレノイドコイル２２で海底側装置１０からの磁気信号が受信されると、その旨を送信回路２１−１に通知する。コンピュータ２５は受信回路２１−２から出力される地盤情報を記録したり、表示したりする。
【００３７】
図３は図１に示された海底側装置１０における通信回路１２の構成を示した図である。通信回路１２は、測定センサ１１に接続した測定回路１２−１、受信回路１２−２、送信回路１２−３ならびに送受切替回路１２−４から成る。測定回路１２−１は測定センサ１１からの地盤情報を送信回路１２−３経由で送受切替回路１２−４に出力する。受信回路１２−２は復調回路を有し、送受切替回路１２−４経由で受信した信号を復調して得られた送信指令を送信回路１２−３に与える。測定回路１２−１、受信回路１２−２、送信回路１２−３、ならびに送受切替回路１２−４は図示しない回路基板に実装されて円筒形のボビン１５の内側に配置されている。耐圧容器１４とボビン１５との間にはソレノイドコイル１３が配置されている。測定センサ１１は用途に応じて耐圧容器１４の内部または外部に設置される。
【００３８】
通常、送信回路１２−３は、送受切替回路１２−４に対して受信回路１２−２とソレノイドコイル１３とを接続するようにさせている。海上側装置２０で発した磁気信号は海中を伝搬して海中側装置１０に到達し、ソレノイドコイル１３で磁気信号から電気信号に変換される。この電気信号は送受切替回路１２−４を経由して受信回路１２−２に入力される。受信回路１２−２は、入力された信号を復調して送信指令を得ると、これを送信回路１２−３に送る。受信回路１２−２からの送信指令を受けると、送信回路１２−３は送受切替回路１２−４に対して送信回路１２−３とソレノイドコイル１３との間を接続するように切り替えさせる。また、送信回路１２−３は測定回路１２−１を介して測定センサ１１から地盤情報を取り入れ、所定の信号変換を行う。ソレノイドコイル１３は送信回路１２−３からの電気信号を送受切替回路１２−４経由で受けて磁気信号に変換する。
【００３９】
図４は本発明による水中又は地中通信装置において、海底側装置１０あるいは海上側装置２０におけるソレノイドコイルを送信用として使用した場合の磁束を説明するための図である。本図では海上側装置２０の場合について説明するが、海底側装置１０の場合もまったく同じである。
【００４０】
ソレノイドコイル２２を円筒形のボビン２４と容器２３との間に配置し、回路基板に実装された通信回路２１をボビン２４の内側に配置する。ソレノイドコイル２２を送信用として使用する場合、その内側に透磁率の高い材料によるボビン２４を配置することでソレノイドコイル２２から出た磁束はボビン２４に集中して通過しやすい。その結果、ボビン２４の内側を通過する磁束は減少する。従って、ボビン２４の内側において通信回路２１が受けるノイズも減少し、通信回路２１の動作が安定することになる。ここで、珪素鋼板製ボビンに代わる磁性材料として、例えばフェライトを使用した場合でも同様な効果が得られる。
【００４１】
図５は本発明による水中通信装置において、海底側装置１０あるいは海上側装置２０におけるソレノイドコイルを受信用として使用した場合に、通信回路が発生する電磁波を説明するための図である。本図では海底側装置１０の場合について説明するが、海上側装置２０の場合もまったく同じである。
【００４２】
ソレノイドコイル１３を円筒形のボビン１５と耐圧容器１４（図示省略）との間に配置し、回路基板に実装された通信回路１２を円筒形のボビン１５の内側に配置する。ソレノイドコイル１３は微小な磁気信号を検出するためのものであるので、ソレノイドコイル１３の中心部に配置した通信回路１２の放射する微小な電磁波であってもノイズとなる可能性がある。しかし、ソレノイドコイル１３の内側に配置したボビン１５が閉回路を形成することで、通信回路１２の発生する電磁波はボビン１５の外部に出ない。これにより、ソレノイドコイル１３は信号対雑音比を低下させることなく磁気信号から電気信号への変換を行うことができる。
【００４３】
図６は本発明による水中通信装置において、海上側装置２０のソレノイドコイル２２を送信用として使用する場合に、送受切替回路２１−３の動作を説明するためのブロック図である。送受切替回路２１−３は、送信回路２１−１の出力側に接続されたＦＥＴドライバＤ１とＦＥＴ１〜ＦＥＴ４とから成る。ＦＥＴ１〜ＦＥＴ４の各制御端子には、ＦＥＴドライバＤ１からのドライブ出力が接続されている。ＦＥＴ１とＦＥＴ２との直列回路、ＦＥＴ３とＦＥＴ４との直列回路がそれぞれバッテリ電源ＶＣＣとアースとの間に接続されている。ＦＥＴ１とＦＥＴ２との接続部とＦＥＴ３とＦＥＴ４との接続部との間には、ソレノイドコイル２２及びこれと直列共振回路を形成するコンデンサＣ１が接続されている。
【００４４】
ＦＥＴドライバＤ１は送信回路２１−１からの制御信号、つまり送信指令を受けてＦＥＴ１〜ＦＥＴ４に対して二種類の動作状態を作り出す。第一の動作状態では、ＦＥＴ１とＦＥＴ４とをオン状態にしてバッテリ電源ＶＣＣ−ＦＥＴ１−コンデンサＣ１−ソレノイドコイル２２−ＦＥＴ４−アースの回路を形成し、ＦＥＴ２とＦＥＴ３とをオフ状態とする。第二の動作状態では、ＦＥＴ１とＦＥＴ４とをオフ状態にし、ＦＥＴ２とＦＥＴ３とをオン状態としてバッテリ電源ＶＣＣ−ＦＥＴ３−ソレノイドコイル２２−コンデンサＣ１−ＦＥＴ２−アースの回路を形成する。第一及び第二の動作状態を送信回路２１−１において指令信号で変調した搬送波信号で切り替えることでソレノイドコイル２２とコンデンサＣ１との直列共振回路に交流電圧が印加され、ソレノイドコイル２２は磁気信号を発生する。なお、受信回路２１−２は送受切替回路２１−３、つまりＦＥＴ３とＦＥＴ４との接続部に接続されているが、送信回路２１−１は送信動作を行っている間は、受信回路２１−２から信号を受信したとしてもこれを無視する。
【００４５】
上記の説明は、海上側装置２０の送受切替回路２１−３の説明であるが、海底側装置１０の送受切替回路１２−４も同じ構成で良く、各構成要素の参照番号の横に付した括弧内の参照番号は送受切替回路１２−４の場合の構成要素の番号を示している。但し、海底側装置１０の送受切替回路１２−４の場合、送信回路１２−３からは地盤情報で変調された搬送波信号が出力され、ＦＥＴドライバＤ１はこれに対応したドライブ出力をＦＥＴ１〜ＦＥＴ４に与える。つまり、ソレノイドコイル１３は送信回路１２−３からの地盤情報で変調された搬送波信号を磁気信号に変換する。
【００４６】
図７は本発明による水中通信装置において、海上側装置２０のソレノイドコイル２２を受信用として使用する場合に、送受切替回路２１−３の動作を説明するためのブロック図である。
【００４７】
送信指令を発した後、送信回路２１−１は、送受切替回路２１−３を磁気信号入力の待機状態に移行させるために、ＦＥＴドライバＤ１に対してＦＥＴ２のみをオンとする状態にさせる。図７はその等価回路を示し、バッテリ電源ＶＣＣ、ＦＥＴ１、ＦＥＴ３、ＦＥＴ４等は図示を省略している。受信回路２１−２は、電流−電圧変換回路２１−２１とバンドパスフィルタ２１−２２と復調回路２１−２３とから成る。
【００４８】
詳しく説明すると、送受切替回路２１−３のＦＥＴドライバＤ１は送信回路２１−１からの送信指令を受けて図６で説明した送信のための切替え動作を行った後は、ＦＥＴ１、ＦＥＴ３、ＦＥＴ４をオフ状態とし、ＦＥＴ２のみをオン状態にして磁気信号入力の待機状態に移行させる。また、ソレノイドコイル２２とコンデンサＣ１とで決まる共振周波数の外部磁界が作用するとソレノイドコイル２２には電流が誘起され、電流一電圧変換回路２１−２１の出力には電圧が発生する。電流−電圧変換回路２１−２１の出力は所定の周波数帯域以外のノイズを除去するバンドパスフィルタ２１−２２を経由して復調回路２１−２３に出力されて地盤情報を示す電気信号に復調される。この電気信号はコンピュータ２５に出力される。
【００４９】
上記の説明は、海上側装置２０の送受切替回路２１−３の説明であるが、海底側装置１０の送受切替回路１２−４も同じ構成で良く、各構成要素の参照番号の横に付した括弧内の参照番号は送受切替回路１２−４の場合の構成要素の番号を示している。但し、海底側装置１０の送受切替回路１２−４の場合、ソレノイドコイル１３からは送信指令に基づく電気信号が得られ、受信回路１２−２ではこれを復調して送信指令を送信回路１２−３に出力する。その結果、送信回路１２−３は送受切替回路１２−４に対して地盤情報送信のために図６で説明した状態に移行させる。
【００５０】
なお、上記の実施の形態では、送信と受信とを１つのソレノイドコイルで行う場合について説明したが、図９で説明したように送信用のソレノイドコイルと受信用のソレノイドコイルとを個別に備えるようにしても良い。この場合、送信用のソレノイドコイルと受信用のソレノイドコイルと同心状に配置してその内側に通信回路を配置するか、あるいは送信用のソレノイドコイルと受信用のソレノイドコイルとを並列配置する場合にはその一方の内側に通信回路を配置すれば良い。
【００５１】
図８は本発明による水中通信装置において、２値位相変調（ＢＰＳＫ）方式を用いた場合の送信指令や地盤情報の信号変換の様子を示す波形図である。ここで、搬送波信号の位相変調は、変調信号が「１」ならば搬送波信号の位相を１８０°反転させ、「０」ならば搬送波信号の位相を保持している。
【００５２】
以上、本発明を水中通信装置として使用する場合の実施の形態について説明したが、本発明は地中通信装置にも適用可能である。この場合、図１に示した海底側装置１０は地中側装置として地中に配置され、海上側装置２０は地上側装置として地上に配置される。地中通信装置としての動作は、上述した水中通信装置の動作とまったく同じである。
【００５３】
【発明の効果】
以上説明したように、本発明による水中又は地中通信装置では、通信回路を中空の磁性体の内側に配置し、ソレノイドコイルを中空の磁性体と容器との間に配置している。これにより、送信時は磁束が磁性体内部を通過しやすいことから強磁界から内部の電子回路を保護し、受信時は通信回路の発生するノイズを遮蔽する効果がある。
【００５４】
また、ソレノイドコイルを送受信用として併用可能としている。ソレノイドコイルの磁束への変換効率は直径と長さに比例することから、容積いっぱいのアンテナ形状が得られる効果は大である。
【図面の簡単な説明】
【図１】本発明を水中通信装置に適用した場合の実施の形態を説明するための図である。
【図２】図１に示された水中通信装置における海上側装置を説明するための図である。
【図３】図１に示された水中通信装置における海底側装置を説明するための図である。
【図４】本発明による水中通信装置のソレノイドコイルを送信用として使用した場合の磁束を説明するための図である。
【図５】本発明による水中通信装置のソレノイドコイルを受信用として使用した場合に、通信回路が発生する電磁波を説明するための図である。
【図６】本発明による水中通信装置における送受切替回路の送信時の動作を説明するための図である。
【図７】本発明による水中通信装置における送受切替回路の受信時の動作を説明するための図である。
【図８】本発明による水中通信装置において、２値位相変調（ＢＰＳＫ）方式を用いた場合の送信指令や地盤情報の信号変換の様子を示す波形図である。
【図９】従来の水中通信装置の一例を説明するための図である。
【符号の説明】
１０　　海底側装置
１１　　測定センサ
１２、２１　　通信回路
１３、２２　　ソレノイドコイル
１４　　耐圧容器
１５、２４　　珪素鋼板製ボビン
２０　　海上側装置
２３　　容器
２５　　コンピュータ
【図１】
2004096182.tif 000009
【図２】
2004096182.tif 000010
【図３】
2004096182.tif 000011
【図４】
2004096182.tif 000012
【図５】
2004096182.tif 000013
【図６】
2004096182.tif 000014
【図７】
2004096182.tif 000015
【図８】
2004096182.tif 000016
【図９】
2004096182.tif 000017